(57)【要約】【課題】紙パウチの内側にプラスチックフィルムを被覆した紙を主体とする紙パウチ包装体を、その包装体の一部あるいは１つの面に、紙層がない透明プラスチックフィルム層のみにより形成して、包装体内の内容物あるいは内容量が見えるようにした紙パウチ包装体を提供することにある。【解決手段】外面に繊維構造物からなる紙層１と内面にプラスチックフィルム層２が貼り合わされた積層体Ａからなるパウチ包装体Ｂにおいて、一部に紙層１がないプラスチックフィルム層２のみによる透明もしくは半透明な窓部３が設けられている。【選択図】図１
2004115118.tif 000002
【特許請求の範囲】
【請求項１】
外面に繊維構造物からなる紙層と内面にプラスチックフィルム層が貼合された積層体からなるパウチ包装体において、部分的に紙層がないプラスチックフィルム層のみによる透明もしくは半透明な窓部が設けられていることを特徴とする紙パウチ包装体。
【請求項２】
外面に繊維構造物からなる紙層と内面にプラスチックフィルム層が貼合された積層体からなるパウチ包装体において、外面に部分的に繊維構造物からなる紙層と内面にプラスチックフィルム層が貼合された積層体を用いて製袋され、部分的に紙層がないプラスチックフィルム層のみによる透明もしくは半透明な窓部が設けられていることを特徴とする紙パウチ包装体。
【請求項３】
外面に繊維構造物からなる紙層と内面にプラスチックフィルム層が貼合された積層体からなるパウチ包装体において、外面に部分的に繊維構造物からなる紙層と内面にプラスチックフィルム層が貼合された積層体と、外面全面に繊維構造物からなる紙層と内面にプラスチックフィルム層が貼合された積層体とを用いて製袋され、部分的に紙層がないプラスチックフィルム層のみによる透明もしくは半透明な窓部が設けられていることを特徴とする紙パウチ包装体。
【請求項４】
外面に繊維構造物からなる紙層と内面にプラスチックフィルム層が貼合された積層体からなるパウチ包装体において、外面に繊維構造物からなる紙層のないプラスチックフィルム層のみによる積層体と、外面全面に繊維構造物からなる紙層と内面にプラスチックフィルム層が貼合された積層体とを用いて製袋され、部分的に紙層がないプラスチックフィルム層のみによる透明もしくは半透明な窓部が設けられていることを特徴とする紙パウチ包装体。
【請求項５】
前記紙層の使用比率が、積層体全重量の５１％以上であることを特徴とする請求項１乃至請求項４のいずれか１項記載の紙パウチ包装体。
【請求項６】
前記紙層が、耐熱水性を有し、加熱又は加熱加圧による殺菌処理が可能であることを特徴とする請求項１乃至請求項５のいずれか１項記載の紙パウチ包装体。
【請求項７】
耐熱水性を有する前記紙層が、ポリイソシアネート樹脂含浸紙であることを特徴とする請求項６記載の紙パウチ包装体。
【請求項８】
請求項１乃至請求項７のいずれか１項記載の紙パウチ包装体が、スタンディングパウチ形態もしくはガゼットパウチ形態の包装体であることを特徴とする紙パウチ包装体。
【請求項９】
請求項１乃至請求項８のいずれか１項記載の紙パウチ包装体に、口栓が備えられていることを特徴とする紙パウチ包装体。
【発明の詳細な説明】
【０００１】
【発明の属する技術分野】
本発明は、紙からなる外側容器の内側にプラスチックフィルムを貼合したパウチ形態の包装体に関するものであり、さらには、衣料用粉末洗剤などトイレタリー用品、又は食料品や飲料などの内容物を収納する紙パウチ包装体に関するものである。
【０００２】
【従来の技術】
近年、環境問題が深刻化し、容器類ならびに包装材料の易廃棄性が必要とされるようになり、易焼却性、リサイクル性、またはリサイクル材料使用の需要が高まっている。そこで、紙製容器の内側にプラスチックフィルムを被覆した紙を主体とする複合容器が多く提案されている。
【０００３】
紙とプラスチックフィルムとからなる紙を主体とする複合容器は、近年の環境問題および省資源化に鑑み、複合容器に使用するプラスチックを極力少なくする傾向にあり、その容器の強度を外装となる外側の紙容器で補う場合が多い。
【０００４】
しかし、容器の外面が全て紙で被覆された複合容器は、その容器の剛性やバリア性では、従来のプラスチック容器と同等の物性が得られるものの、紙が不透明であるために、内容物が外側から見えないなど意匠面での課題が残るものであった。
【０００５】
【発明が解決しようとする課題】
本発明は、上記の課題を解決することを目的として、紙パウチの内側にプラスチックフィルムを被覆した紙を主体とする紙パウチ包装体を、その包装体の一部あるいは１つの面に、紙層がない透明プラスチックフィルム層のみにより形成して、包装体内の内容物あるいは内容量が見えるようにした紙パウチ包装体を提供することにある。
【０００６】
【課題を解決するための手段】
本発明の請求項１に係る発明は、外面に繊維構造物からなる紙層と内面にプラスチックフィルム層が貼合された積層体からなるパウチ包装体において、部分的に紙層がないプラスチックフィルム層のみによる透明もしくは半透明な窓部が設けられていることを特徴とする紙パウチ包装体である。
【０００７】
本発明の請求項２に係る発明は、外面に繊維構造物からなる紙層と内面にプラスチックフィルム層が貼合された積層体からなるパウチ包装体において、外面に部分的に繊維構造物からなる紙層と内面にプラスチックフィルム層が貼合された積層体を用いて製袋され、部分的に紙層がないプラスチックフィルム層のみによる透明もしくは半透明な窓部が設けられていることを特徴とする紙パウチ包装体である。
【０００８】
本発明の請求項３に係る発明は、外面に繊維構造物からなる紙層と内面にプラスチックフィルム層が貼合された積層体からなるパウチ包装体において、外面に部分的に繊維構造物からなる紙層と内面にプラスチックフィルム層が貼合された積層体と、外面全面に繊維構造物からなる紙層と内面にプラスチックフィルム層が貼合された積層体とを用いて製袋され、部分的に紙層がないプラスチックフィルム層のみによる透明もしくは半透明な窓部が設けられていることを特徴とする紙パウチ包装体である。
【０００９】
本発明の請求項４に係る発明は、外面に繊維構造物からなる紙層と内面にプラスチックフィルム層が貼合された積層体からなるパウチ包装体において、外面に繊維構造物からなる紙層のないプラスチックフィルム層のみによる積層体と、外面全面に繊維構造物からなる紙層と内面にプラスチックフィルム層が貼合された積層体とを用いて製袋され、部分的に紙層がないプラスチックフィルム層のみによる透明もしくは半透明な窓部が設けられていることを特徴とする紙パウチ包装体である。
【００１０】
本発明の請求項５に係る発明は、上記請求項１乃至請求項４のいずれか１項に係る紙パウチ包装体において、前記紙層の使用比率が、積層体全重量の５１％以上であることを特徴とする紙パウチ包装体である。
【００１１】
本発明の請求項６に係る発明は、上記請求項１乃至請求項５のいずれか１項に係る紙パウチ包装体において、前記紙層が、耐熱水性を有し、加熱又は加熱加圧による殺菌処理が可能であることを特徴とする紙パウチ包装体である。
【００１２】
本発明の請求項７に係る発明は、上記請求項６に係る紙パウチ包装体において耐熱水性を有する前記紙層が、ポリイソシアネート樹脂含浸紙であることを特徴とする紙パウチ包装体である。
【００１３】
本発明の請求項８に係る発明は、上記請求項１乃至請求項７のいずれか１項に係る紙パウチ包装体が、スタンディングパウチ形態もしくはガゼットパウチ形態の包装体であることを特徴とする紙パウチ包装体である。
【００１４】
本発明の請求項９に係る発明は、上記請求項１乃至請求項８のいずれか１項に係る紙パウチ包装体に、口栓が備えられていることを特徴とする紙パウチ包装体である。
【００１５】
【発明の実施の形態】
以下に本発明の実施の形態について以下に詳細に説明する。
【００１６】
本発明の請求項１に係る発明の紙パウチ包装体は、図１（ａ）〜（ｂ）の側断面図に示すような紙層１と透明乃至半透明のプラスチックフィルム層２が貼り合わされた積層体Ａであって、図１（ａ）に示すように積層体Ａの全面に紙層１が貼り合わされた積層体Ａと、図１（ｂ）に示すように積層体Ａの一部に、紙層１がないプラスチックフィルム層２のみによる透明もしくは半透明な窓部３が設けられている積層体Ａとを用いて製袋されている、図１（ｄ）の側断面図に示すようなパウチ包装体Ｂである。
【００１７】
また、本発明の請求項１に係る発明の紙パウチ包装体は、図１（ａ）の側断面図に示すような紙層１と透明乃至半透明のプラスチックフィルム層２が貼り合わされた積層体Ａであって、図１（ａ）に示すように積層体Ａの全面に紙層１が貼り合わされた積層体Ａと、図１（ｃ）に示すように積層体Ａに紙層１がないプラスチックフィルム層２のみによる積層体Ａとを用いて製袋されている、図１（ｄ）の側断面図に示すようなパウチ包装体Ｂである。
【００１８】
また、本発明の請求項１に係る発明の紙パウチ包装体は、図１（ａ）〜（ｂ）の側断面図に示すような紙層１と透明乃至半透明のプラスチックフィルム層２が貼り合わされた積層体Ａであって、図１（ａ）に示すように積層体Ａの全面に紙層１が貼り合わされた積層体Ａと、図１（ｂ）に示すように積層体Ａの一部に、紙層１がないプラスチックフィルム層２のみによる透明もしくは半透明な窓部３が設けられている積層体Ａと、図１（ｃ）に示すように積層体Ａに紙層１がないプラスチックフィルム層２のみによる積層体Ａとを用いて製袋されている、図１（ｄ）の側断面図に示すようなパウチ包装体Ｂである。
【００１９】
パウチ包装体Ｂは、図１（ｄ）に示すように、二枚の前記積層体Ａをプラスチックフィルム層２を内面にして重ね合わせ、又は前記積層体Ａを二つ折りしてプラスチックフィルム層２を内面にして重ね合わせ、まず、積層体Ａの三方周囲の重ね合わせ最内面側をヒートシールして、周囲三方のシール部４を形成してパウチ包装体Ｂが製袋され、その後、他の一方の未シール開口部より内容物Ｃを充填した後、その開口部をヒートシールして密封包装される。
【００２０】
そのパウチ包装体Ｂの一部には、紙層１がない透明乃至半透明のプラスチックフィルム層２（又はプラスチックシート層）のみで形成された透明もしくは半透明の窓部分３が設けられている紙パウチ包装体Ｂである。
【００２１】
本発明の紙パウチ包装体Ｂは、従来のプラスチックフィルム（又はシート）製のパウチから、パウチ強度、物性を維持するためのプラスチックフィルム層３（シート層）の厚みを極力小さくして、そのパウチ強度を紙層１にて補うものである。さらには、この紙層１の部材にて遮光性を付与するようにするものであり、これら紙層１とフィルム層２との貼合方法としては一般的なドライラミネート方法が好ましい。
【００２２】
本発明の紙パウチ包装体Ｂは、収容される内容物Ｃに遮光性がそれほど必要ない場合の包装形態として使用され、その包装体Ｂの一部に、紙層１がない透明乃至半透明のプラスチックフィルム層２（又はプラスチックシート層）のみで形成された透明もしくは半透明の窓部分３は、一面に紙層１を設けないことにより、内容物Ｃをプラスチックフィルム層２を透して見せることが可能となり、内容物Ｃの確認性と意匠性に優れる紙パウチ包装体Ｂとすることができる。
【００２３】
また、収容される内容物に遮光性が必要な場合においても、その遮光性の要求度合いに対応して、パウチ内装の透明又は半透明なプラスチックフィルム層２の一部分に外装の紙層１を積層接着しない透明又は半透明な窓部分３を設けることも可能であり、また、パウチ内装の透明又は半透明なプラスチックフィルム層２の外側に、一部分にミシン目にて切り抜き形成可能な窓孔部分３を設けた外装の紙層１を、前記窓孔部分３のみ接着しないように全面接着して、十分な遮光性が必要な時（例えば包装体の保管時や、輸送、販売時）には、外装の紙層１に形成されている前記窓孔部分３の紙層１を取り除かず、必要時に、外装の紙層１に形成されている前記窓孔部分３の紙層１をミシン目を介して取り除き、内容物を見せることも可能である。
【００２４】
本発明の紙パウチ包装体Ｂの紙層１に用いられる材料としては、木材パルプ（又は木質パルプ）である１００％バ−ジンパルプを使用したカップ原紙、又はカップ原紙に故紙を含んだコ−トボ−ル紙、又はＮＢＫＰ材やＬＢＫＰ材を適宜な配合比率で含むＮＢＫＰ材使用紙やＬＢＫＰ材使用紙があり、あるいは、木材パルプ以外のケナフ、バンブーなど天然植物繊維からなる紙なども使用でき、またこれら木材パルプやそれ以外の天然植物繊維からなる紙の片面にクレイコート処理が施された紙等、様々な種類の原料からなる紙質材料（又は紙状の繊維構造物）を用いることが可能である。
【００２５】
このように、本発明の紙パウチ包装体Ｂの紙層１に用いられる材料は、木材パルプやそれ以外の天然植物繊維からなる紙状の繊維構造物を全て包含し、いわゆる紙質材料の種類に限定されるものではない。
【００２６】
そして、紙層１の厚みは目的に応じて適宜選択すれば良く、紙層１に使用する紙質材料の特性にもよるが、本発明の紙パウチ容器に求められる柔軟性もしくは剛直性、あるいは遮光性などの必要性に応じて適宜に選択すればよい。
【００２７】
また、これら紙質材料には、本発明の紙パウチ包装体において所望する紙層１としての各種の機能を付与するための適宜処理加工が施されていてもよい。また木材パルプとしての紙をはじめとする各種繊維構造物を逸脱しない限りであれば、使用する紙質材料に一切制限されるものではなく、目的に応じて適宜選択すれば良い。
【００２８】
次に本発明の請求項２に係る発明は、上記のような紙パウチ包装体において、前記紙層１の使用比率を、積層体全重量の５１％以上としたものである。
【００２９】
紙層１に貼合して使用するプラスチックフィルムは、従来のプラスチックシート製パウチに使用する材料構成と同様の構成ものが使用できる。また、必要物性に応じては、ガスバリア性、耐ピンホール性、ヒートシール性などを付与できる材料構成を選択する。
【００３０】
しかし、プラスチック材料に求められる腰の強度や突き刺し強度の強化については、紙層１によって補うこともできるため、これら強度を含めたパウチ包装体（容器）の各種物性強度は、パウチ容器の外装となる紙層１で補うことができ、例えば紙層１の使用比率を、積層体全重量の５１％以上にすることが好ましい。
【００３１】
次に、本発明の請求項３に係る発明は、上記のような紙パウチ包装体Ｂにおいて、紙層１に耐熱水性を有する紙質材料を使用することにより、加熱加圧殺菌処理可能としたものであり、食料品、調味料、飲料などを収納した状態で、加熱調理が可能となるものである。
【００３２】
紙質材料からなる紙層１に耐熱水性を付与する方法としては、紙質材料の抄紙工程の段階で、パルプ材など繊維構造物に樹脂材料を混抄する方向や、含浸加工方法などがあげられる。また、一次加工にて抄紙された紙質材料（例えば紙）に対して、二次加工にて樹脂材料を含浸加工することによっても紙質材料に耐熱水性を付与することができる。
【００３３】
本発明におけるパルプを主原料とする繊維構造物からなる上記紙層１として、例えば、その繊維構造物を紙質材料として紙パウチ包装体（容器）形状に絞り成型した絞り成型前駆体が使用できる。
【００３４】
該絞り成型前駆体をはじめとして、本発明における各種紙層１に配される樹脂成分としては、その絞り成型体等の紙層１の乾燥強度および耐水性、湿潤強度を付与できる樹脂として、ポリビニルアルコール樹脂、ポリアクリルアミド、また湿潤時の紙力増強剤としては、尿素ホルムアルデヒド樹脂、メラミンホムルアルデヒド樹脂、ポリアミドアミン、そのエピクロルヒドリン変性体、さらには各種ラテックスとして、例えば、天然ゴムラテックス、ＳＢＲ、ＮＢＲ、ポリクロロプレン等の合成ゴムラテックス、ポリ酢酸ビニル、アクリル樹脂、ポリ塩化ビニル、ポリ塩化ビニリデンなどが用いられる。
【００３５】
さらに、絞り成型体等の紙層１に耐熱水性まで付与できる樹脂としては、シラン系樹脂、メラミン樹脂などの熱硬化性樹脂の他に、アクリル系樹脂、ポリエステル系樹脂、ポリエチレン樹脂やポリプロピレン樹脂などの熱可塑性樹脂なども要求される耐熱水温度により選択使用することが可能である。
【００３６】
また付加機能として、撥水性などが要求される場合においても、必要な耐熱水性を損なわない限り、要求機能レベルに応じて上記の樹脂材料を複合もしくは混合して使用することも可能である
【００３７】
次に、本発明の請求項４に係る発明は、上記のような紙パウチ包装体Ｂにおいて、耐熱水性を有する前記紙層１に、ポリイソシアネート樹脂含浸紙を使用したものである。
【００３８】
本発明の紙パウチ包装体Ｂに対してポリイソシアネート樹脂含浸紙による耐熱水性を付与する方法としては、紙層１となる繊維構造体である紙質材料にポリイソシアネート系樹脂を含浸させて配するものであり、これによって、より好ましく紙層１に耐熱水性を付与することができる。
【００３９】
このイソシアネート系樹脂は、紙質材料に配することにより、極めて高い耐熱性、耐水性、耐熱水性を付与できるものである。また絞り成型体としてイソシアネート樹脂含浸紙を用いることにより、乾燥状態のみならす、湿潤状態にあっても、保形性、座屈強度などが極めて優れた紙パウチ包装体Ｂとしての容器が得られる。
【００４０】
イソシアネート系樹脂としては、ポリイソシアネート化合物として、これまで知られている各種のもの、例えば、フェニレンジイソシアネート（ＰＤＩ）、トリレンジイソシアネート（ＴＤＩ）、ナフタレンジイソシアネート（ＮＤＩ）、４，４‘ジイソシアネートジフェニルメタン（ＭＤＩ）、等の芳香族ジイソシアネート、キシリレンジイソシアネート（ＸＤＩ）等の芳香族脂肪族ジイソシアネート、水添ＴＤＩ、水添ＸＤＩ、水添ＭＤＩ、ヘキサメチレンジイソシアネート（ＨＭＤＩ）イソホロンジイソシアネート（ＩＰＤＩ）等の脂肪族、若しくは脂環状ジイソシアネートおよびこれらの誘導体であるポリオール付加物、ビュレット体、３量体である３官能以上のポリイソシアネート、リジントリイソシアネート（ＬＴＩ）等の３官能イソシアネートの他、イソシアネートを含む各種のオリゴマー、ポリマーを使用することができる。
【００４１】
本発明の紙パウチ包装体Ｂの紙層１としての紙質材料となる繊維構造物に配する樹脂の量は、前述のイソシアネート系樹脂などの高度に湿潤強度を向上できる薬剤の場合でも含浸紙としての重量比で２％乃至１０％であることが好ましい。使用する含浸薬剤の構造にもよるが、前述のイソシアネート系樹脂を重量比で２％乃至１０％含浸することにより、含浸紙の湿潤時の引っ張り強度が、乾燥時の３０％以上有するようにすることができる。さらにボイル殺菌処理やレトルト殺菌処理に相当する熱水処理後においても、その湿潤時の引っ張り強度が乾燥時の３０％以上有するようにすることができる。このように設定することにより、耐熱性、耐水性が向上し、湿潤時における容器の保形性、剛性を維持することができる。
【００４２】
また、繊維構造物にイソシアネート系樹脂成分を配する方法としては、抄紙段階での内添あるいは混抄、あるいはスラリーへの含浸や噴霧など、要求される性能やコストにより任意の方法が選択できる。
【００４３】
そして、抄紙後の二次加工時に、剛性、耐水性、耐熱水性を付与できる樹脂を含浸させることもできる。この二次加工による含浸方法としては、繊維構造物を含浸剤中に浸し、過剰量の含浸剤を一時的に付与できるディッピング法や、好ましくは、含浸剤を一定量だけ塗工または含浸させるグラビアコーティング法や、ロールコーティング法などがあり、ロールシート状又は枚葉シート状の繊維構造物の表裏から含浸処理することも可能である。
【００４４】
次に、本発明の請求項５に係る発明は、上記紙パウチ包装体Ｂにおいて、その包装体が、スタンディングパウチ形態若しくはガゼットパウチ形態の包装体であり、そのパウチ包装体Ｂは、外面に繊維構造物からなる紙層１と内面にプラスチックフィルム層２が貼合された積層体Ａを用いて製袋され、少なくとも、紙層１がないプラスチックフィルム層のみによる透明もしくは半透明な窓部３が設けられた積層体Ａを用いて製袋されている。
【００４５】
また、上記紙パウチ包装体Ｂは、部分的に紙層１がないプラスチックフィルム層２のみによる透明もしくは半透明な窓部３が設けられた積層体Ａと、全面に紙層１が積層されている透明もしくは半透明な窓部３の無い積層体Ａとを用いて製袋されていてもよい。
【００４６】
本発明の紙パウチ包装体Ｂは、図２（ｄ）に示すように、積層体Ａを用いて形成したパウチ包装体Ｂの下端部１９に積層体Ａを用いて形成した開放可能な二つ折りの底面シート１７を備え、その底面シート１７を開放することにより、水平方向下端部１９、１９を前後に拡張して自立できる自立可能なスタンディングパウチ形態とすることができる。
【００４７】
例えば、スタンディングパウチ形態の紙パウチ包装体Ｂ下端部１９の二つ折りの底面シート１７を、全面（又は部分）に紙層１を設けずに、透明乃至半透明のプラスチックフィルム層２のみによる積層体Ａとすることにより、そのスタンディングパウチ形態の紙パウチ包装体Ｂの底面部分には、その全面（又は部分）が透明又は半透明な窓部３が形成され、パウチ包装体Ｂ内に包装されている内容物Ｃを底面を透して外から確認でき、また通常のスタンディング状態での保存時には、底面の透明部分からの外光の入射、透過を抑えることができ、遮光性を必要とするような内容物に対しては好ましい遮光性が得られる。
【００４８】
また、とりわけ遮光性を必要としない内容物においては、本発明の紙パウチ包装体Ｂは、図３（ｄ）に示すように、積層体Ａを用いて形成したパウチ包装体Ｂの左右両側端部１４、１４に、積層体Ａを用いて成型した開放可能な二つ折りの側面シート１３、１３を備え、その底面シート１３、１３を開放することにより縦方向の両側端部１４、１４を前後に拡張して包装容積を拡大可能なガゼットパウチ形態とすることができる。
【００４９】
例えば、ガゼットパウチ形態の紙パウチ包装体Ｂ両側端部１４、１４のうち一方もしくは両方の二つ折りの側面シート１３を、全面（又は部分）に紙層１を設けずに、透明乃至半透明のプラスチックフィルム層２のみによる積層体Ａとすることにより、そのガゼットパウチ形態の紙パウチ包装体Ｂの側面部分には、その全面（又は部分）が透明又は半透明な窓部３が形成され、パウチ包装体Ｂ内に包装されている内容物Ｃを側面の窓部３を透して外から確認でき、遮光性をそれほど必要としない内容物に対して、より意匠性に優れた紙パウチ包装体を提供することができる。
【００５０】
次に本発明の請求項６に係る発明は、上記紙パウチ包装体Ｂにおいて、その包装体に口栓が備えられているものであり、図１（ｄ）に示すように、紙パウチ包装体Ｂの重ね合わせ積層体Ａ、Ａの重ね合わせ端部のシール部４内面相当部に、口栓（図示せず）を挟み込んだ後にヒートシールしてシール部４を形成することにより口栓を取り付けたものである。
【００５１】
本発明の紙パウチ包装体Ｂは、製袋に使用する使用する積層体Ａの最外層に比較的剛性のある紙層１を設けることにより、従来のプラスチックパウチよりも、容器の剛性、自立性、意匠性が優れるものとなり、さらには、耐水性に優れるパウチ形態の容器となり、口栓を設けることにより、従来の使い切りのパウチ容器としてのみならず、長期に亘り繰り返し使用が可能なパウチ容器とすることが可能である。
【００５２】
【実施例】
以下、本発明の具体的な実施例を示して詳細に説明する。
【００５３】
＜実施例１＞
図１（ａ）に示すように、坪量１５０ｇ／ｍ２　の耐熱水性に優れるイソシアネート樹脂含浸紙による紙層１と、透明なプラスチックフィルム（厚み９２μｍの多層積層フィルム）によるプラスチックフィルム層２とを貼り合せて、プラスチックフィルム層２全面に紙層１を積層した紙パウチ包装体の窓部３の無い製袋用積層体Ａを得た。
【００５４】
図２（ａ）に示すように、この窓部３の無い積層体Ａ（図１（ａ）参照）を、スタンディングパウチの重ね合わせ四角形状平面部材（パウチ前面シート１１と背面シート１２）とし、他方、上記透明なプラスチックフィルム（多層積層フィルム）によるプラスチックフィルム層２のみの積層体Ａ（図１（ｃ）参照）を、スタンディングパウチの底面部材（パウチ下端部の底面シート１７）として、前記平面部材のパウチ前面シート１１と背面シート１２の重ね合わせ下端部の内面に、二つ折りした前記底面シート１７を折目を内側にして装填した。
【００５５】
その後に、図２（ｂ）の側断面図〜図２（ｃ）の正面図に示すように、前面シート１１と背面シート１２の重ね合わせ上端部２０は内容物を充填するための未シール開口部として、その前面シート１１と背面シート１２の両端部１８、１８と、前面シート１１と背面シート１２の下端部と二つ折りの底面シート１７の開放端部とのそれぞれ重ね合わせ面同士の下端部１９、１９の三方をヒートシールし、容量約２００ｍｌのパスタソース用の本発明のスタンディングパウチ形態の紙パウチ包装体Ｂを製袋した。
【００５６】
次に、得られた上記スタンディングパウチ形態の紙パウチ包装体Ｂに、上端部２０の開口部から、パスタソースを充填した後、上端部２０をヒートシールした図２（ｄ）に示すような内容物を充填包装したスタンディングパウチ形態の紙パウチ包装体Ｂを得た。
【００５７】
上記プラスチックフィルム層２として使用した透明なプラスチックフィルムは厚み９２μｍであり、アルミナ薄膜を蒸着したバリア性蒸着ポリエステルフィルムと、延伸ナイロンと、ポリプロピレンとを貼り合せた構成からなるものを使用した。
【００５８】
得られた本発明のスタンディングパウチ形態の紙パウチ包装体Ｂ（図２（ｄ）参照）と、従来の一般的なアルミニウム箔材が使用されているパスタソース用のスタンディングパウチ及びアルミニウム箔材が使用されていないプラスチックフィルム製のパスタソース用のスタンディングパウチとを比較した場合に、本発明品は紙層１によってパウチ包装体本体の剛性が付与されるため、製袋に使用される樹脂材料が大幅に減量でき、また従来品と異なり、紙層によってパウチ容器の剛性や強度を維持することができた。
【００５９】
また、本発明のスタンディングパウチ形態の紙パウチ包装体は、パウチ底面部が透明なプラスチックフィルムにより形成されているので、底面部から内容物のソースを見ることができ、また包装体としての意匠性にも優れるものであった。
【００６０】
上記スタンディングパウチ形態の紙パウチ包装体Ｂには飲料を充填したが、充填時のヒートシールは、従来と同様のヒートシール方法が使用でき、充填後の加熱加圧殺菌処理にも充分耐えることができ、流通過程を経て消費することが可能である。また、自立性は著しく優れ、使用後は、プラスチックフィルム層２が薄いために紙ゴミとして処分できるものであった。
【００６１】
＜実施例２＞
図１（ａ）に示すように、坪量１８０ｇ／ｍ２　の耐熱水性に優れるイソシアネート樹脂含浸紙による紙層１と、透明なプラスチックフィルム（厚み９２μｍの多層積層フィルム）によるプラスチックフィルム層２とを貼合して、プラスチックフィルム層２全面に紙層１を積層した紙パウチ包装体の窓部３の無い製袋用積層体Ａを得た。
【００６２】
次に図３（ａ）に示すように、この窓部３の無い積層体Ａ（図１（ａ）参照）を、ガゼット状パウチの重ね合わせ四角形状平面部材（パウチ前面シート１１と背面シート１２）とし、他方、上記透明なプラスチックフィルム（多層積層フィルム）によるプラスチックフィルム層２のみの積層体Ａ（図１（ｃ）参照）をガゼット状パウチの側面部材（パウチ幅方向両側端の二つ折りの側面シート１３、１３）として、前記平面部材のパウチ前面シート１１と背面シート１２の重ね合わせ左右両側端部の内面に、二つ折りした前記各々側面シート１３、１３を折目を内側にして装填する。
【００６３】
さらに前面シート１１と背面シート１２の重ね合わせ下端部１５の内面に口栓（図示せず）を装填した後に、図３（ｂ）の上面断面図〜図３（ｃ）の正面図に示すように、前面シート１１と背面シート１２の重ね合わせ上端部１６は内容物を充填するための未シール開口部として、その前面シート１１と背面シート１２の下端部１５と、前面シート１１と背面シート１２の両側端部と各々側面シート１３、１３の開放端部とのそれぞれ重ね合わせ面同士の両側端部１４、１４の三方をヒートシールし、容量約３００ｍｌの飲料用で、包装体の下端部１５に口栓を備えた本発明のガゼットパウチ形態の紙パウチ包装体Ｂを製袋した。
【００６４】
次に、得られた上記ガゼット状の紙パウチ包装体Ｂに上端部１６の開口部から飲料を充填した後、上端部１６をヒートシールして、図３（ｄ）に示すような内容物を充填包装したガゼットパウチ形態の紙パウチ包装体Ｂを得た。
【００６５】
上記プラスチックフィルム層２として使用した透明な多層プラスチックフィルムは、廃棄処理し易い厚みの極めて薄いフィルム（例えば９２μｍ）であり、アルミナ薄膜を蒸着したバリア性蒸着ポリエステルフィルムと、延伸ナイロンと、ポリプロピレンとを貼り合せた構成からなるものを使用した。
【００６６】
得られた本発明のガゼット状の紙パウチ包装体Ｂ（図３（ｄ）参照）と、従来の一般的なアルミニウム箔材が使用されている飲料用のガゼット状パウチ及びアルミニウム箔材が使用されていないプラスチックフィルム製の飲料用のガゼット状パウチとを比較した場合に、本発明品は紙層１によってパウチ包装体Ｂ本体の剛性が付与されるため、パウチ包装体Ｂの製袋に使用される樹脂材料が大幅に減量でき、また従来品と異なり、紙層１によって紙パウチ包装体の容器の剛性や強度を維持することができた。
【００６７】
また、本発明のガゼット状の紙パウチ包装体Ｂは、カゼット側面部（側面シート１３、１３）が透明なプラスチックフィルム層２のみにより形成されているので、側面部から内容物の飲料を見ることができ、また包装体としての意匠性にも優れるものであった。
【００６８】
上記紙パウチ包装体Ｂには飲料を充填したが、充填時のヒートシールは、従来と同様のヒートシール方法が使用でき、充填後の温水洗浄にも充分耐えることができ、流通過程を経て消費することが可能である。また、使用後は、プラスチックフィルム層２が薄いために紙ゴミとして処分できるものである。
【００６９】
【発明の効果】
本発明の紙パウチ包装体は、衣料用粉末洗剤などトイレタリー用品、又は食料品や飲料などの内容物を収納する紙層とプラスチックフィルムが貼り合された積層体により製袋されたパウチ包装体であって、アルミニウム箔層や肉厚のプラスチックフィルムを用いなくても、紙パウチ包装体には紙層による剛性が付与されて、樹脂材料の使用量を低減できる効果がある。
【００７０】
また、積層体の一部に、紙層がなく、透明乃至半透明な単一プラスチックフィルム又は多層に積層された積層プラスチックフィルムのみにより構成された窓状の透明もしくは半透明部分を設けることにより、さらには耐熱水性に優れる積層体を用いた紙パウチ包装体とすることにより、意匠性に優れ、また、レトルト用パウチとしても使用でき、容器強度や自立性に優れるのみならず、樹脂材料の使用量を低減した廃棄性に優れた紙パウチ包装体を提供することができる。
【図面の簡単な説明】
【図１】（ａ）〜（ｂ）は本発明の紙パウチ包装体の製袋に使用する紙層とプラスチックフィルム層との積層体の側断面図、（ｃ）は本発明の紙パウチ包装体の製袋に使用する紙層のないプラスチックフィルム層のみの積層体の側断面図、（ｄ）は本発明の紙パウチ包装体の側断面図。
【図２】（ａ）〜（ｄ）は本発明の紙パウチ包装体におけるステンディングパウチ形態の説明図。
【図３】（ａ）〜（ｄ）は本発明の紙パウチ包装体におけるガゼット状パウチ形態の説明図。
【符号の説明】
Ａ…積層体　Ｂ…紙パウチ包装体　Ｃ…内容物
１…紙層　２…プラスチックフィルム層　３…窓部　４…シール部
１１…前面シート　１２…背面シート　１３…二つ折りの側面シート
１４…側端部　１５…下端部　１６…上端部　１７…二つ折りの底面シート
１８…側端部　１９…下端部　２０…上端部
【図１】
2004115118.tif 000003
【図２】
2004115118.tif 000004
【図３】
2004115118.tif 000005